(57)【要約】ガラス煉瓦壁を形成するための構造要素複合体であって、該構造要素複合体は、前記ガラス煉瓦壁の周縁輪郭を形成する略Ｃ型断面を備えるアルミニウム製外形棒体（２）と、一のガラス煉瓦と隣接する他のガラス煉瓦を水平方向に分離するとともに少なくとも露出する側の長手方向に延出する縁部がアルミニウムから形成される複数の仕切部材（６）と、複数のアルミニウム製水平部材（４）からなり、該水平部材（４）は、水平ウェブ（１４）を備え、該水平ウェブ（１４）は、その長手方向縁部に沿って、Ｔ字型断面の突出部（１８）を備え、前記中央ウェブ（１４）は更に、所定間隔で配設される座部を備え、該座部は直立する前記仕切部材を固定可能とし、前記水平部材は、その端部に接続要素が取り付けられ、該接続要素が、前記Ｃ型断面を有する外形棒体のうち垂直に立設する外形棒体の内面に対して着脱自在に接続することを特徴とする構造要素複合体である。
2006527319.tif 000002
【特許請求の範囲】
【請求項１】
ガラス煉瓦壁を形成するための構造要素複合体であって、
該構造要素複合体は、前記ガラス煉瓦壁の周縁輪郭を形成する略Ｃ型断面を備えるアルミニウム製外形棒体（２）と、
一のガラス煉瓦と隣接する他のガラス煉瓦を水平方向に分離するとともに少なくとも露出する側の長手方向に延出する縁部がアルミニウムから形成される複数の仕切部材（６）と、
複数のアルミニウム製水平部材（４）からなり、
該水平部材（４）は、中央ウェブ（１４）を備え、
該中央ウェブ（１４）は、その長手方向縁部に沿って、Ｔ字型断面の突出部（１８）を備え、
前記中央ウェブ（１４）は更に、所定間隔で配設される座部を備え、該座部は直立する前記仕切部材を固定可能とし、
前記水平部材は、その端部に接続要素が取り付けられ、
該接続要素が、前記Ｃ型断面を有する外形棒体のうち垂直に立設する外形棒体の内面に対して着脱自在に接続することを特徴とする構造要素複合体。
【請求項２】
前記Ｃ型断面を備える外形棒体の側壁の内側の面に２対のリブ（１０）が設けられ、
各リブの表面のうち他のリブに対向する側の表面に噛合い歯（１２）が形成されることを特徴とする請求項１記載の構造要素複合体。
【請求項３】
前記水平部材の前記中央ウェブ（１４）が、その端部に円筒部（１６）を備え、
該円筒部（１６）がねじ止めによって、前記接続要素を固定可能とすることを特徴とする請求項１記載の構造要素複合体。
【請求項４】
前記水平部材の固定用座部が穴部（２０）からなり、
該穴部（２０）は、ピン（３４）と嵌合し、
該ピン（３４）は、前記直立する仕切部材の端部に嵌合することを特徴とする請求項１記載の構造要素複合体。
【請求項５】
前記接続要素が略長方形の要素からなり、
該要素は、その短辺側部（２４）において一部切り取られた形状をなすとともに、カーブを描いて延びるスロット穴部（２６）を備え、
前記短辺側部（２４）は、平坦部（２８）と曲状部（３０）を備え、
前記平坦部間の距離が、前記外形棒体（２）のリブ（１０）により対向して形成される空洞部間の距離に略等しいことを特徴とする請求項１記載の構造要素複合体。
【請求項６】
前記仕切部材が、梯子型のプラスチック製スペーサ（５６）からなり、
該スペーサ（５６）の端部に接続要素（５８）が配され、
該スペーサの垂直部分（６０）がアルミニウム製外形棒体（６０）に対してスナップ式に嵌合する形状とされることを特徴とする請求項１記載の構造要素複合体。
【請求項７】
棒体（３６）を更に備え、
該棒体の面のうち面積が小さい面のうち１つにスロット穴部（３８）が形成され、
該スロット穴部（３８）の終端に該スロット穴部（３８）の幅より大きな径の穴部（４０）が形成され、
ピン（４２）がスロット穴部（３８）を挿通し、該スロット穴部（３８）内でナット（４４）と軸方向に噛合い、
前記ピン（４２）の螺子切加工された端部によって、前記水平部材（４）の縁部に形成された穴部内で前記ピンがロックされることを特徴とする請求項１記載の構造要素複合体。
【請求項８】
断面Ｈ字型の外形棒体を備え、
該断面Ｈ字型外形棒体のフランジが背中合わせに２つのＣ型断面外形棒体を保持し、
前記フランジが更に、２つのＵ字型突出部（４８）を備え、組立時において、該Ｕ字型突出部（４８）は座部（５０）を形成し、ピン（５４）の端部に形成されたヘッド部（５２）が前記座部（５０）に挿入可能であることを特徴とする請求項１記載の構造要素複合体。
【請求項９】
各仕切部材又は各水平部材が木製であり、
各仕切部材又は各水平部材の端部に座部が形成され、
該座部がＴ字断面のアルミニウム製突出部にスナップ式に嵌合することを特徴とする請求項１記載の構造要素複合体。
【発明の詳細な説明】
【技術分野】
【０００１】
本発明は、ガラス煉瓦壁を形成するための構造要素複合体に関する。
【背景技術】
【０００２】
ガラス煉瓦のためのＰＶＣフレームは、周縁構造部を備える。周縁構造部は、複数の水平部材を支持する。水平部材は、周縁構造部内部で、垂直方向に立設する部材と互いに接続する。これらの接続は、スナップ式嵌合であったり、挿入式接続であったりする。これにより、格子が形成される。格子は、格子内部に挿入された各ガラス煉瓦の四辺を囲み、型枠を形成する。型枠内に、セメント混合物が供給される。
【発明の開示】
【発明が解決しようとする課題】
【０００３】
これら既知のフレームは、しかしながら、ある欠点を備える。典型的な欠点を以下に示す。
・ＰＶＣ水平部材と直立部材が見える状態であり、これら部材が空間を占め、外観上好ましくない。
・一度組上げられると、或いは、セメントが加えられると、構造を変更したり、場所を移動させたりすることが困難である。
・その重量のため、使用用途が限定される。
【課題を解決するための手段】
【０００４】
本発明はこれらの課題を解決するためになされたものであって、ガラス煉瓦壁を形成するための構造要素複合体であって、該構造要素複合体は、前記ガラス煉瓦壁の周縁輪郭を形成する略Ｃ型断面を備えるアルミニウム製外形棒体（２）と、一のガラス煉瓦と隣接する他のガラス煉瓦を水平方向に分離するとともに少なくとも露出する側の長手方向に延出する縁部がアルミニウムから形成される複数の仕切部材（６）と、複数のアルミニウム製水平部材（４）からなり、該水平部材（４）は、中央ウェブ（１４）を備え、該中央ウェブ（１４）は、その長手方向縁部に沿って、Ｔ字型断面の突出部（１８）を備え、前記中央ウェブ（１４）は更に、所定間隔で配設される座部を備え、該座部は直立する前記仕切部材を固定可能とし、前記水平部材は、その端部に接続要素が取り付けられ、該接続要素が、前記Ｃ型断面を有する外形棒体のうち垂直に立設する外形棒体の内面に対して着脱自在に接続することを特徴とする構造要素複合体を提供する。
【発明の効果】
【０００５】
本発明は、上記の課題を解決する。本発明は、ガラス煉瓦壁を形成する構造要素複合体を提供する。この構造要素複合体は、上記外観上の問題点を解消するのに加えて、壁が大きな寸法であるときに確実に移動しない特性を備える。
本発明の他の目的は、必要に応じて、取り外し並びに再構築可能な構造要素複合体を提供することである。
以下の説明で明らかになるこれらの或いは他の目的は、請求項１に記載されるガラス煉瓦壁を形成するための構造要素複合体によって、本発明に従い達成される。
【発明を実施するための最良の形態】
【０００６】
本発明の好適な実施形態及びいくつかの改良形態は、以下の図面を参照しつつ説明される。尚、以下の説明で示される実施形態は、本発明の範囲を何ら制限するものではない。
本発明の構造要素複合体は、略断面Ｃ型のアルミニウム製の周縁外形棒体（２）、アルミニウム製外形棒体から形成される複数の中間水平部材（４）及びアルミニウムから同様に形成される複数の垂直仕切部材（６）からなる。
【０００７】
周縁外形棒体（２）は、その側壁の各内側面に２対のリブ（１０）を備える。各リブ（１０）は、他のリブと対向する面に噛合い歯（１２）を備える。
水平部材は、中央ウェブ（１４）を備える。中央ウェブ（１４）の端部には、円筒部（１６）が形成される。また、中央ウェブ（１４）の側縁からは略Ｔ字型に形成されたフランジ（１８）が延出する。中央ウェブ（１４）は、貫通穴（２０）を備え、該貫通穴（２０）は一定間隔で配列される。
仕切部材（６）は、水平部材と略等しい形態を備えるが、貫通穴（２０）を備えていない。
【０００８】
複合体は、接続要素（２２）を備える。接続要素（２２）は、略長方形の要素からなる。この長方形要素は、短辺側部（２４）を有し、短辺側部（２４）は一部切り取られた形状をなしている。また、長方形要素は、２つのスロット穴部（２６）を備え、このスロット穴部（２６）はカーブを描いて延設している。短辺側部（２４）は、平坦部（２８）と曲状部（３０）からなる。平坦部（２８）間の距離は、周縁外形棒体（２）のリブ（１０）によって互いに向き合って形成される空洞部間の距離と略等しく形成される。
【０００９】
ガラス煉瓦壁を形成するために、本発明の構造要素複合体は、以下の要領で組み立てられる。
まず、枠体半分が、地面に載置された断面Ｃ型の周縁外形棒体（２）により形成される。好適には、ねじやピンで周縁外形棒体（２）は固定される。それから、Ｃ型周縁外形棒体（２）が地面に載置された周縁外形棒体（２）の両側端部に垂直に立設される。もしフレームの両側を支持する壁が利用可能であるならば、これら立設される２つの周縁外形棒体（２）は、フレームの両側を支持する壁にねじやピンで固定される。或いは、もしこれら支持壁が利用できない場合は、垂直に立設される周縁外形棒体は地面や天井に固定されてもよい。
【００１０】
第１列のガラス煉瓦（３２）は、水平に配される断面Ｃ型の周縁外形棒体の上側リブ（１０）上に載置される。そして、各煉瓦の間に仕切部材（６）が配設され、一の煉瓦は、隣接する他の煉瓦と分離される。
【００１１】
接続要素（２２）は、それから、水平部材（４）の端部にねじによって据付けられる。ねじは、スロット穴部（２６）を挿通し、水平部材内の円筒空洞部（１６）と嵌合する。水平部材（４）は、それから、垂直に立設する断面Ｃ型の周縁外形棒体（２）に取付けられる。水平部材の中央ウェブが水平になるまでの間、接続要素（２２）の湾曲した縁（３０）は、断面Ｃ型の周縁外形棒体（２）のリブ（１０）の間に挿入される。
【００１２】
水平部材（４）は、その後、回転動作を施され、中央ウェブ（１４）が水平にされる。この構造は、接続要素（２２）を強制的に回転させ、平坦部（２８）をＣ型断面の周縁外形棒体（２）のリブ（２０）の間に嵌め込むことによって、安定化される。水平部材が据付けられると、ピン（３４）が貫通穴（２０）に挿入され、下方に配される仕切部材（６）の円筒空洞部（１６）と嵌合する。
【００１３】
第２列のガラス煉瓦は、その後、上述と同様に、水平部材に据付けられる。
必要とされる高さに達したとき、更に、周縁外形棒体（２）が、その空洞部を下方に向けて据付けられ、枠体上部の閉塞要素を形成する。
【００１４】
図１１及び図１２に示す実施形態は、主に外壁に適した構造要素複合体である。
この実施形態において、水平部材と仕切部材は単一の断面Ｔ字型の突出部を備え、この突出部は内側へ向かって突出する。この実施形態において、水平部材は長手方向に延設する溝部（６４）を備える。溝部（６４）はゴム製のガスケットを収容し、このガスケットは、ガラス煉瓦を保持する機能を発揮する。
【００１５】
大きな寸法の壁である場合、本発明は、棒体（３６）を用いるものであってもよい。棒体（３６）は断面略長方形であり、小さな面積を有する側面のうち一方にスロット穴部（３８）を備える。スロット穴部（３８）は、スロット穴部（３８）の幅より大径に形成される穴部（４０）を終端とする。穴部（４０）には、螺子切加工されたピン（４２）が挿入され、ナット（４４）を用いて、ピン（４２）はスロット穴部（３８）と噛合う。ピン（４２）の端部は、水平部材（４）の縁部に形成される穴部内でロックされる。
スロット穴部（３８）によって、構造的に小さな変位を生ずる。このことは、建物の主要な構造から本発明を独立させることを可能とする。
【００１６】
大きな幅寸法の壁である場合、例えば、水平部材が６ｍ以上であるような場合、本発明は、更に、断面Ｈ字型の周縁外形棒体（４６）を用いることも可能である。周縁外形棒体（４６）のフランジは背中合わせに２つのＣ型周縁外形棒体（２）を支持する。また、このフランジが断面Ｕ字形状の突出部（４８）を備えてもよい。これにより、組み立てられたときに座部（５０）が形成され、座部に、ピン（５４）端部に形成されるヘッド（５２）が挿入される。尚、このピン（５４）は、上述の周縁外形棒体（３６）に取り付けられている。この組立形態は、温度変動を吸収するエクスパンション・ジョイントを構成することとなる。
【００１７】
図５乃至図７に示す実施例において、仕切部材は、梯子型のプラスチック製スペーサとして示される。スペーサの端部には、接続要素（５８）が配される。この接続要素（５８）は、水平に配された周縁外形棒体と噛合う。スペーサは、垂直部（６０）を備える。垂直部（６０）は連続するアルミニウム製周縁外形棒体（６２）にスナップ式に嵌合する形態を有する。これにより、連続的な且つ好適な外観を得ることが可能となる。
【００１８】
上記説明から明らかな如く、本発明の構造要素複合体は多くの優位点を有する。
・アルミニウム製の周縁外形棒体の存在により、好適な外観を得ることができる
・支柱要素の存在により、信頼性のある不動特性を得ることができる。
・セメント性の組立材料を用いないので、容易且つ簡便に取り外し並びに再構築を行うことが可能である。
図には示されていないが、各仕切部材や各水平部材が木製であってもよい。また、アルミニウム製のＴ型突出部とスナップ式に噛合うように、２つの座部をその端部に備えるものであってもよい。
【図面の簡単な説明】
【００１９】
【図１】本発明のガラス煉瓦で組み立てられる構造要素複合体の分解斜視図である。尚、構造要素複合体は、組立途中の状態である。図１の構造要素複合体は特に内部構造をなすものである。
【図２】周縁外形棒体の外観斜視図である。
【図３】アルミニウム製外形棒体の斜視図であり、該棒体は、水平部材を構成する。
【図４】垂直に接続する仕切部材の斜視図である。
【図５】図１と同様の構造要素複合体を示す図であり、仕切部材がプラスチック材料から構成される構造要素複合体の形態を示す。
【図６】中間位置に配される仕切部材を示す図である。
【図７】終端に配される仕切部材を示す図である。
【図８】水平部材を直立する外形棒体に接続するシステムの正面図であり、上方に配されるシステムは自由な状態であり、下方に配されるシステムはロックされた状態である。
【図９】６ｍを超える幅広の壁の形成に用いられるエクスパンション・ジョイントを示す斜視図である。
【図１０】風力に抗して固定し、補強する付属部材の斜視図である。
【図１１】図１と同様の構造要素複合体を示す図であり、外壁部を構築する形態を示す。
【図１２】アルミニウム製外形棒体を示す図であり、該棒体は、構造要素複合体の水平部材と仕切部材を形成する。
【図１】
2006527319.tif 000003
【図２】
2006527319.tif 000004
【図３】
2006527319.tif 000005
【図４】
2006527319.tif 000006
【図５】
2006527319.tif 000007
【図６】
2006527319.tif 000008
【図７】
2006527319.tif 000009
【図８】
2006527319.tif 000010
【図９】
2006527319.tif 000011
【図１０】
2006527319.tif 000012
【図１１】
2006527319.tif 000013
【図１２】
2006527319.tif 000014
【手続補正書】
【提出日】平成18年5月19日(2006.5.19)
【手続補正１】
【補正対象書類名】特許請求の範囲
【補正対象項目名】全文
【補正方法】変更
【補正の内容】
【特許請求の範囲】
【請求項１】
ガラス煉瓦壁を形成するための構造要素複合体であって、
該構造要素複合体は、前記ガラス煉瓦壁の周縁輪郭を形成する略Ｃ型断面を備えるアルミニウム製外形棒体（２）と、
一のガラス煉瓦と隣接する他のガラス煉瓦を水平方向に分離するとともに少なくとも露出する側の長手方向に延出する縁部がアルミニウムから形成される複数の仕切部材（６）と、
複数のアルミニウム製水平部材（４）からなり、
該水平部材（４）は、中央ウェブ（１４）を備え、
該中央ウェブ（１４）は、その長手方向縁部に沿って、Ｔ字型断面の突出部（１８）を備え、
前記中央ウェブ（１４）は更に、所定間隔で配設される座部を備え、該座部は直立する前記仕切部材を固定可能とし、
前記水平部材は、その端部に接続要素が取り付けられ、
該接続要素が、前記Ｃ型断面を有する外形棒体のうち垂直に立設する外形棒体の内面に対して着脱自在に接続し、
前記水平部材の中央ウェブ（１４）が、その端部に、円筒部（１６）を備え、
該円筒部がねじによって、前記接続要素を固定可能であることを特徴とする構造要素複合体。
【請求項２】
前記接続要素が略長方形の要素からなり、
該要素は、その短辺側部（２４）において一部切り取られた形状をなすとともに、カーブを描いて延びるスロット穴部（２６）を備え、
前記短辺側部（２４）は、平坦部（２８）と曲状部（３０）を備え、
前記平坦部間の距離が、前記外形棒体（２）のリブ（１０）により対向して形成される空洞部間の距離に略等しいことを特徴とする請求項１記載の構造要素複合体。
【請求項３】
棒体（３６）を更に備え、
該棒体の面において、面積が小さい面のうち１つにスロット穴部（３８）が形成され、
該スロット穴部（３８）の終端に該スロット穴部（３８）の幅より大きな径の穴部（４０）が形成され、
ピン（４２）がスロット穴部（３８）を挿通するとともにナット（４４）によって該スロット穴部（３８）内に軸方向に固定され、
前記ピン（４２）の螺子切加工された端部によって、前記水平部材（４）の縁部に形成された穴部内で前記ピンがロックされることを特徴とする請求項１記載の構造要素複合体。
【請求項４】
断面Ｈ字型の外形棒体を備え、
該断面Ｈ字型外形棒体のフランジが背中合わせに２つのＣ型断面外形棒体を保持し、
前記フランジが更に、２つのＵ字型突出部（４８）を備え、組立時において、該Ｕ字型突出部（４８）は座部（５０）を形成し、ピン（５４）の端部に形成されたヘッド部（５２）が前記座部（５０）に挿入可能であり、
前記ピン（５４）が前記外形棒体（３６）のスロット穴部（３８）に嵌合することを特徴とする請求項１乃至３いずれかに記載の構造要素複合体。
【請求項５】
前記Ｃ型断面を備える外形棒体の側壁の内側の面に２対のリブ（１０）が設けられ、
各リブの表面のうち他のリブに対向する側の表面に噛合い歯（１２）が形成されることを特徴とする請求項４記載の構造要素複合体。
【請求項６】
前記水平部材の固定用座部が穴部（２０）からなり、
該穴部（２０）は、ピン（３４）と嵌合し、
該ピン（３４）は、前記直立する仕切部材の端部に嵌合することを特徴とする請求項１記載の構造要素複合体。
【請求項７】
前記仕切部材が、梯子型のプラスチック製スペーサ（５６）からなり、
該スペーサ（５６）の端部に接続要素（５８）が配され、
該スペーサの垂直部分（６０）がアルミニウム製外形棒体（６０）に対してスナップ式に嵌合する形状とされることを特徴とする請求項１記載の構造要素複合体。
【請求項８】
各仕切部材又は各水平部材が木製であり、
各仕切部材又は各水平部材の端部に２つの座部が形成され、
該座部がＴ字断面のアルミニウム製突出部にスナップ式に嵌合することを特徴とする請求項１記載の構造要素複合体。
【請求項９】
前記水平部材が長手方向に延びる溝部（６４）を備え、
該溝部（６４）内にゴム製ガスケットが収容され、
該ガスケットが前記ガラス煉瓦を保持することを特徴とする請求項１記載の構造要素複合体。
【手続補正２】
【補正対象書類名】明細書
【補正対象項目名】０００３
【補正方法】変更
【補正の内容】
【０００３】
これら既知のフレームは、しかしながら、ある欠点を備える。典型的な欠点を以下に示す。
・ＰＶＣ水平部材と直立部材が見える状態であり、これら部材が空間を占め、外観上好ましくない。
・一度組上げられると、或いは、セメントが加えられると、構造を変更したり、場所を移動させたりすることが困難である。
・その重量のため、使用用途が限定される。
国際公開公報ＷＯ９７／０６３２２号公報は、モジュールからなる構造体を示す。このモジュール式構造体は、モジュールが互いに組み合わされ、ガラス製ブロック壁を構築するために用いられる。ガラス製ブロック壁は、全体的にリサイクル可能な材料から構成され、組立並びに撤去が可能とされる。
【国際調査報告】
2006527319.tif 000015
2006527319.tif 000016
2006527319.tif 000017